Podtech/llm-jp-corpus-v4-ja_patent huggingface dataset:
【手続補正書】
【提出日】令和1年12月27日(2019.12.27)
【手続補正１】
【補正対象書類名】明細書
【補正対象項目名】００４４
【補正方法】変更
【補正の内容】
【００４４】
前記無機酸水溶液はｐＨ１からｐＨ６であってよい。前記懸濁溶液は、ｐＨ６からｐＨ１０、より好ましくはｐＨ７からｐＨ９であってよい。例えば、前記懸濁溶液の酸度が高いほど、無機酸水溶液の酸度も高いものであり、そのため、前記懸濁溶液内に解離されるニッケルイオンの量が増加し得る。前記懸濁溶液のｐＨが前記範囲を外れてｐＨ１０を超過する場合、懸濁溶液に解離されるニッケルイオンの量が減少することがあり、ｐＨ６未満の場合、強い酸度によってニッケル含有リチウム遷移金属酸化物の表面に損傷（ｄａｍａｇｅ）を引き起こし得る。
【手続補正２】
【補正対象書類名】特許請求の範囲
【補正対象項目名】全文
【補正方法】変更
【補正の内容】
【特許請求の範囲】
【請求項１】
リチウムを除いた遷移金属の総モル数に対して６０モル％以上のニッケルを含むニッケル含有リチウム遷移金属酸化物と、
前記ニッケル含有リチウム遷移金属酸化物の表面に形成され、リチウム含有無機化合物、ニッケル酸化物及びニッケルオキシ水酸化物を含むコーティング層とを含む、正極活物質。
【請求項２】
前記ニッケル酸化物及び前記ニッケルオキシ水酸化物は岩塩結晶構造を有する、請求項１に記載の正極活物質。
【請求項３】
前記コーティング層は、前記ニッケル酸化物と前記ニッケルオキシ水酸化物を１〜５：１の重量比で含む、請求項１又は２に記載の正極活物質。
【請求項４】
前記正極活物質をＸ線光電子分光分析によって測定したスペクトルにおいて、結合エネルギーが６０ｅＶから８０ｅＶの領域と１１０ｅＶから１２０ｅＶの領域でそれぞれピークが現われる、請求項１から３のいずれか一項に記載の正極活物質。
【請求項５】
前記リチウム含有無機化合物は、Ｌｉ３ＢＯ３、Ｌｉ３ＰＯ４、ＬｉＰＯ３、ＬｉＰ２Ｏ７、α‐Ｌｉ４Ｂ２Ｏ５、β‐Ｌｉ４Ｂ２Ｏ５、Ｌｉ６Ｂ４Ｏ９、α‐ＬｉＢＯ２、Ｌｉ２Ｂ４Ｏ７、Ｌｉ３Ｂ７Ｏ１２、ＬｉＢ３Ｏ５及びＬｉ２Ｂ８Ｏ１３からなる群より選択される一つ以上である、請求項１から４のいずれか一項に記載の正極活物質。
【請求項６】
前記ニッケル含有リチウム遷移金属酸化物は、下記化学式１で表され、
［化学式１］
Ｌｉ１＋ａ（ＮｉｂＣｏｃＸｄＭ１ｅ）１−ａＯ２
前記化学式１中、
Ｘは、Ｍｎ及びＡｌからなる群より選択される少なくとも一つ以上であり、
Ｍ１は、Ｚｒ、Ｂ、Ａｌ、Ｃｏ、Ｗ、Ｍｇ、Ｃｅ、Ｔａ、Ｔｉ、Ｓｒ、Ｂａ、Ｃｅ、Ｈｆ、Ｆ、Ｐ、Ｓ、Ｌａ及びＹからなる群より選択される少なくとも一つ以上であり、
０≦ａ≦０．１、０．６≦ｂ≦１．０、０≦ｃ≦０．３、０≦ｄ≦０．３、０≦ｅ≦０．１である、請求項１から５のいずれか一項に記載の正極活物質。
【請求項７】
リチウムを除いた遷移金属の総モル数に対して６０モル％以上のニッケルを含むニッケル含有リチウム遷移金属酸化物を無機酸水溶液に混合してｐＨ６から１０の懸濁溶液を製造するステップと、
前記懸濁溶液を乾燥して２００℃から４００℃で低温熱処理することで、前記ニッケル含有リチウム遷移金属酸化物の表面にリチウム含有無機化合物、ニッケル酸化物及びニッケルオキシ水酸化物を含むコーティング層を形成するステップとを含む、正極活物質の製造方法。
【請求項８】
前記混合によって前記ニッケル含有リチウム遷移金属酸化物に含まれるリチウムイオン及びニッケルイオンが前記無機酸水溶液に解離される、請求項７に記載の正極活物質の製造方法。
【請求項９】
前記無機酸水溶液に解離されたリチウムイオンと前記無機酸水溶液に含まれる無機酸の酸塩基反応によってリチウム含有無機化合物が形成される、請求項８に記載の正極活物質の製造方法。
【請求項１０】
前記無機酸水溶液に解離されたニッケルイオンと前記無機酸水溶液に含まれる酸素または水素が反応してニッケル酸化物及びニッケルオキシ水酸化物が形成される、請求項８又は９に記載の正極活物質の製造方法。
【請求項１１】
前記無機酸水溶液はｐＨ１からｐＨ６である、請求項７から１０のいずれか一項に記載の正極活物質の製造方法。
【請求項１２】
前記無機酸水溶液は、ホウ酸、リン酸、塩酸、硫酸、硝酸、炭酸、フッ酸及び臭化水素酸からなる群より選択される一つ以上を含む、請求項７から１１のいずれか一項に記載の正極活物質の製造方法。
【請求項１３】
請求項１から６のいずれか一項に記載の正極活物質を含む、リチウム二次電池用正極。
【請求項１４】
請求項１３に記載のリチウム二次電池用正極を含む、リチウム二次電池。
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
外科用システムであって、
第一のジョーと第二のジョーを有するエンドエフェクタであって、前記第一のジョーは細長い溝を有する、エンドエフェクタと、
ステープルカートリッジと、
高周波カートリッジと、を含み、
前記細長い溝は、前記ステープルカートリッジまたは前記高周波カートリッジを動作可能に支持するように構成されている、外科用システム。
【請求項２】
前記高周波カートリッジに接続可能な高周波生成器を含む、請求項１に記載の外科用システム。
【請求項３】
前記エンドエフェクタは、切断部材を有し、
前記高周波カートリッジは、前記切断部材の作動時において、凝固用電流を電流経路内の組織に送達する、請求項１または２に記載の外科用システム。
【請求項４】
治療を受けている組織に近接して前記エンドエフェクタを配置するためのシャフトをさらに含む、請求項１から３に記載の外科用システム。
【請求項５】
前記シャフトは、シャフトの制御された屈曲を可能にするための１つ以上の関節接合部を有する、請求項４に記載の外科用システム。
【請求項６】
前記高周波カートリッジは、前記細長通路内で着脱可能に受容され支持されるような寸法、および形状である、カートリッジ本体を含む、請求項１から５のいずれかに記載の外科用システム。
【請求項７】
前記エンドエフェクタによりクランプ留めされた組織の厚さを検出するように構成された、組織厚感知組立体を備える、請求項１から６のいずれかに記載の外科用システム。
【請求項８】
前記組織厚感知組立体は、リードスイッチセンサ、変位センサ、光学センサ、磁力誘導性センサ、力センサ、圧力センサ、ピエゾ抵抗効果フィルムセンサ、超音波センサ、渦電流センサ、加速度計、パルス酸素測定センサ、温度センサ、組織経路の電気特性を検出するように構成されたセンサ、又はこれらの任意の組み合わせを備える、請求項７に記載の外科用システム。
【請求項９】
前記組織厚感知組立体は、クランプ留めされた組織の相対厚さ若しくは絶対厚さ、及び／又は、前記第一のジョーと前記第二のジョーのいずれかの特定の位置に対応する信号を生成するように構成されたアナログセンサを備える、請求項７または８に記載の外科用システム。
【請求項１０】
正しい種類のカートリッジが前記エンドエフェクタにロードされたのか、又は間違った種類のカートリッジがロードされたのかを示すように構成されたディスプレイを備える、請求項１から９のいずれかに記載の外科用システム。
【請求項１１】
前記エンドエフェクタにより受容されるカートリッジのカートリッジ種類を検出するように構成されたカートリッジセンサから信号を受信するように構成されている制御回路をさらに備え、前記制御回路は、カートリッジ種類が、予想されるカートリッジ種類と一致するかどうかを前記ディスプレイ上に表示するように構成されている、請求項１０に記載の外科用システム。
【請求項１２】
前記第一のジョーは、前記細長い溝の各側面に、電極層および絶縁層を含み、前記電極層は、前記絶縁層の上に配置されている、請求項１から１１のいずれかに記載の外科用システム。
【請求項１３】
前記第一のジョーは、前記第一のジョーの側面部分に、電気絶縁性の熱伝導性ヒートシンク層を備える、請求項１２に記載の外科用システム。
【請求項１４】
前記電極層の下に、前記細長い溝の各側面上に、隆起パッドを備える、請求項１２または１３に記載の外科用システム。
【請求項１５】
前記絶縁層は、前記電極層に面している第１表面および前記細長い溝に面している第２表面により画定される縁を含み、前記縁は面取りされている、請求項１２から１４のいずれかに記載の外科用システム。
【手続補正書】
【提出日】令和1年12月25日(2019.12.25)
【手続補正１】
【補正対象書類名】明細書
【補正対象項目名】０００２
【補正方法】変更
【補正の内容】
【０００２】
全固体電池システムは、バッテリーパックの高エネルギー密度の可能性を提示している。このようなシステムを実現するためには、高いイオン導電率を示す固体電解質が必要となる。Ｋａｎｎｏら，Ｊｏｕｒｎａｌ  ｏｆ  Ｔｈｅ  Ｅｌｅｃｔｒｏｃｈｅｍｉｃａｌ  Ｓｏｃｉｅｔｙ，１４８（７），Ａ７４２−Ａ７４６（２００１）は、改善したイオン導電率を有するＬｉ２Ｓ−ＧｅＳ２−Ｐ２Ｓ５を開示している。Ａｉｔｋｅｎら，Ｃｈｅｍ．Ｍａｔｅｒ．２００１，１３，４７１４−４７２１は、Ｌｉ２ＰｂＧｅＳ４を開示しており、おそらくは半導体材料として使用できるということを示唆している。しかしながら、Ａｉｔｋｅｎは、この材料のイオン導電率を開示していない。
【手続補正２】
【補正対象書類名】明細書
【補正対象項目名】００６８
【補正方法】変更
【補正の内容】
【００６８】
【表１】
2020525398.tif 000001
本明細書に開示される発明は以下の態様［１］〜［２１］を含む：
［１］一般式：  Ｌｉ２＋２ｘＭ１−ｘＺＳ４で表される化合物：
式中、０．３≦ｘ≦０．９であり；
Ｍは、Ｐｂ、Ｍｇ、Ｃａ、Ｇｅ及びＳｎからなる群から選択される一つ又はそれを超える元素であり；かつ
Ｚは、Ｇｅ、Ｓｉ、Ｓｎ及びＡｌからなる群から選択される一つ又はそれを超える元素である。
［２］０．４≦ｘ≦０．８である、上記［１］に記載の化合物。
［３］０．４５≦ｘ≦０．７５である、上記［１］又は［２］に記載の化合物。
［４］ｘ＝０．５である、上記［１］〜［３］のいずれか一つに記載の化合物。
［５］Ｍが、Ｐｂ、Ｍｇ及びＣａからなる群から選択される一つ又はそれを超える元素である、上記［１］〜［４］のいずれか一つに記載の化合物。
［６］Ｍが、Ｐｂ及びＭｇからなる群から選択される一つ又はそれを超える元素である、上記［５］に記載の化合物。
［７］Ｍが、Ｐｂである、上記［６］に記載の化合物。
［８］Ｚが、Ｇｅ、Ｓｉ及びＳｎからなる群から選択される一つ又はそれを超える元素である、上記［１］〜［７］のいずれか一項に記載の化合物。
［９］Ｚが、Ｇｅ及びＳｉからなる群から選択される一つ又はそれを超える元素である、上記［８］に記載の化合物。
［１０］Ｚが、Ｇｅである、上記［９］に記載の化合物。
［１１］Ｍ＝Ｐｂ及びＺ＝Ｇｅである、上記［１］〜［１０］のいずれか一つに記載の化合物。
［１２］０．２５≦ｘ≦０．７５、Ｍ＝Ｍｇ、及びＺ＝Ｓｉである、上記［１］〜［１０］のいずれか一つに記載の化合物。
［１３］ＣｕＫα線を用いたＸ線回折測定において、２θ＝１７．７５°（±１．０°）、１９．２６°（±１．０°）、２２．８４°（±１．０°）、２７．３８°（±１．０°）、３０．０６°（±１．０°）、３２．８２°（±１．０°）、３５．９４°（±１．０°）、３７．３４°（±１．０°）、３９．０６°（±１．０°）にピークを有する、上記［１］〜［１２］のいずれか一つに記載の化合物。
［１４］０．６又はそれを超えるβの値を有し、ここで、βは、以下の式によって計算される、上記［１］〜［１３］のいずれか一つに記載の化合物：
【数２】
2020525398.tif 000002
式中、Ｉは、括弧内で示される位置におけるＸ線回折パターンの強度である。
［１５］以下の工程を含む、上記［１］〜［４］のいずれか一つに記載の材料を製造する方法：
（ａ）Ｌｉ２＋２ｘＭ１−ｘＺＳ４が得られることを保証する化学量論比で、硫化リチウムＬｉ２Ｓと、硫化物ＭＳ及びＺＳ２との混合物を提供すること、ここで、Ｍ、Ｚ及びｘは、請求項１で定義したとおりである；
（ｂ）工程（ａ）で製造した前記混合物をペレット化すること；
（ｃ）最大プラトー温度で加熱すること。
［１６］工程（ｂ）を、１０Ｐａ又はそれを超え、かつ５０Ｐａ又はそれよりも低い圧力下で；好ましくは２０Ｐａ又はそれを超え、かつ４０Ｐａ又はそれよりも低い圧力下で；最も好ましくは３０Ｐａで行う、上記［１５］に記載の方法。
［１７］工程（ｃ）を、４００℃又はそれを超え、かつ８００℃又はそれよりも低い温度で；好ましくは５００℃又はそれを超え、かつ７００℃又はそれよりも低い温度で；最も好ましくは６００℃で行う、上記［１５］又は［１６］に記載の方法。
［１８］上記［１５］〜［１７］のいずれか一つに記載の方法によって得られる化合物。
［１９］固体電解質としての、上記［１］〜［１４］又は［１８］のいずれか一つに記載の化合物の使用。
［２０］全固体リチウム電池における固体電解質としての、上記［１］〜［１４］又は［１８］のいずれか一つに記載の化合物の使用。
［２１］以下を含む、全固体リチウム電池：
−  正極活物質層；
−  固体電解質層；及び
−  負極活物質層；
ここで、前記固体電解質は、上記［１］〜［１４］又は［１８］のいずれか一つに記載の一般式：  Ｌｉ２＋２ｘＭ１−ｘＺＳ４で表される化合物を含む。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
白金オルガノシロキサン錯体を含む生成物を形成するためのプロセスであって、
１）
Ａ）ハロゲン化白金と、
Ｂ）ケトンと、
Ｃ）任意の他の出発原料又はその転位生成物とは別個の、式（Ｉ）及び／又は式（ＩＩ）の化合物である、エノン添加剤であって、
式（Ｉ）は
【化１】
2020525543.tif 000001
であり、式（ＩＩ）は
【化２】
2020525543.tif 000002
［式中、Ｒ１〜Ｒ１０は、水素、１〜６個の炭素原子を有するアルキル基、若しくはフェニル基から各々独立して選択され、又はＲ１〜Ｒ１０のいずれか２つが結合して１つ以上の炭素環式基を形成してもよく、ただし、Ｒ１がメチルであり、Ｒ２及びＲ３の一方が水素であり、Ｒ２及びＲ３の他方がメチルであり、Ｒ５及びＲ６が両方とも水素である場合、Ｒ４はメチルではない］である、エノン添加剤と、
Ｄ）１分子当たり、炭素原子を２〜６個有するケイ素結合末端不飽和炭化水素基を２〜４個有し、任意の残りのケイ素結合有機基は、炭素原子１〜１２個の一価炭化水素基である、ポリオルガノシロキサンと、
を含む出発原料を組み合わせること、を含む、プロセス。
【請求項２】
前記ハロゲン化白金が、二塩化白金である、請求項１に記載のプロセス。
【請求項３】
前記ケトンが、メチルエチルケトンである、請求項１に記載のプロセス。
【請求項４】
前記エノン添加剤が、（Ｃ３）４−ペンテン−２−オン；（Ｃ４）３−メチル−４−ペンテン−２−オン；（Ｃ５）４−メチル−４−ペンテン−２−オン；（Ｃ６）３，３−ジメチル−４−ペンテン−２−オン；（Ｃ７）３，３，４−トリメチル−４−ペンテン−２−オン；（Ｃ８）（４Ｚ）−３，４−ジメチル−４−ヘキセン−２−オン；（Ｃ９）２−（１−シクロヘキセニル）シクロヘキサノン；（Ｃ１０）３−ブテン−２−オン；（Ｃ１１）（３Ｅ）−３−ペンテン−２−オン；（Ｃ１２）（３Ｅ）−３−メチル−３−ペンテン−２−オン；（Ｃ１３）４−メチル−３−ペンテン−２−オン；並びに(Ｃ３）、（Ｃ４）、（Ｃ５）、（Ｃ６）、（Ｃ７）、（Ｃ８）、（Ｃ９）、（Ｃ１０）、（Ｃ１１）、（Ｃ１２）、及び（Ｃ１３）のうちの２つ以上からなる群から選択される、請求項３に記載のプロセス。
【請求項５】
前記エノン添加剤が、（Ｃ１）（４Ｅ）−３−４−ジメチル−４−ヘキセン−２−オン；（Ｃ２）（５Ｅ）−５−メチル−５−ヘプテン−３−オン；（Ｃ３）４−ペンテン−２−オン；（Ｃ４）３−メチル−４−ペンテン−２−オン；（Ｃ５）４−メチル−４−ペンテン−２−オン；（Ｃ６）３，３−ジメチル−４−ペンテン−２−オン；（Ｃ７）３，３，４−トリメチル−４−ペンテン−２−オン；（Ｃ８）（４Ｚ）−３，４−ジメチル−４−ヘキセン−２−オン；（Ｃ９）２−（１−シクロヘキセニル）シクロヘキサノン；（Ｃ１０）３−ブテン−２−オン；（Ｃ１１）（３Ｅ）−３−ペンテン−２−オン；（Ｃ１２）（３Ｅ）−３−メチル−３−ペンテン−２−オン；（Ｃ１３）４−メチル−３−ペンテン−２−オン；並びに（Ｃ１）、（Ｃ２）、（Ｃ３）、（Ｃ４）、（Ｃ５）、（Ｃ６）、（Ｃ７）、（Ｃ８）、（Ｃ９）、（Ｃ１０）、（Ｃ１１）、（Ｃ１２）、及び（Ｃ１３）のうちの２つ以上からなる群から選択される、請求項１に記載のプロセス。
【請求項６】
前記ポリオルガノシロキサンが、ビニル末端ポリジメチルシロキサンである、請求項１に記載のプロセス。
【請求項７】
前記出発原料を、工程１）において２５℃〜９０℃で混合することによって組み合わせる、請求項１に記載のプロセス。
【請求項８】
出発原料Ｂ）、Ｃ）及びＤ）を組み合わせて混合物を形成し、その後、前記混合物及び出発原料Ａ）を組み合わせる、請求項１に記載のプロセス。
【請求項９】
工程１）の前及び／又は工程１）の際に、前記ケトンの存在下で、前記ハロゲン化白金を粉砕すること、を更に含む、請求項１に記載のプロセス。
【請求項１０】
工程１）の前及び／又は工程１）の際に、前記ケトン及び／又は前記エノン添加剤の存在下で、前記ハロゲン化白金を粉砕すること、を更に含む、請求項１に記載のプロセス。
【請求項１１】
工程１）を、３０℃以下の温度で少なくとも８時間加熱することによって実施する、請求項１〜１０のいずれか一項に記載のプロセス。
【請求項１２】
工程１）を、５５℃〜９０℃の温度で１〜８時間加熱することによって実施する、請求項１に記載のプロセス。
【請求項１３】
工程１）によって形成された前記生成物を中和する、工程２）を更に含む、請求項１に記載のプロセス。
【請求項１４】
３）前記白金オルガノシロキサン錯体を回収すること、を更に含む、請求項１〜１０及び請求項１２〜１３のいずれか一項に記載のプロセス。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
ブロックチェーンデータを信頼できる実行環境(TEE)下で処理するためのコンピュータが実行する方法であって、
ブロックチェーンノードにより、前記ブロックチェーンノード上で実行するTEEにおいて1つまたは複数のソフトウェア命令を実行する要求を受信するステップと、
前記TEEにおける仮想マシンにより、前記1つまたは複数のソフトウェア命令の実行に関する1つまたは複数のブロックチェーンアカウントに関連するデータを前記要求に基づいて識別するステップと、
前記1つまたは複数のブロックチェーンアカウントに関連するデータの識別に応じて、前記仮想マシンにより、前記TEEに保存されているブロックチェーンのグローバルステートを走査して、前記1つまたは複数のブロックチェーンアカウントに関連するデータを見つけるステップと、
前記仮想マシンにより、前記データに基づいて前記1つまたは複数のソフトウェア命令を実行するステップであって、前記TEEに保存されているブロックチェーンのグローバルステートが、前記1つまたは複数のソフトウェア命令の実行中に更新されて、更新されたグローバルステートを生成する、ステップと、
前記1つまたは複数のソフトウェア命令の実行に応じて、前記ブロックチェーンノードにより、前記更新されたグローバルステートの暗号化表現を生成するステップと、
前記ブロックチェーンノードにより、前記TEEから分離している保存場所に前記更新されたグローバルステートの暗号化表現を保存するステップと、
を含む、コンピュータが実行する方法。
【請求項２】
前記要求は、1つまたは複数の入力パラメータを含み、前記TEEのインターフェース関数に対して行われる、請求項1に記載のコンピュータが実行する方法。
【請求項３】
前記グローバルステートは、前記TEEにマークルパトリシアツリー(MPT)として保存されている、請求項1に記載のコンピュータが実行する方法。
【請求項４】
前記グローバルステートは、前記ブロックチェーンの複数のブロックチェーンアカウントのアドレスと状態との間のマッピングを含み、前記複数のブロックチェーンアカウントは、1つまたは複数の外部所有アカウントまたはコントラクトアカウントを含み、前記コントラクトアカウントのそれぞれがストレージルートを含む、請求項1に記載のコンピュータが実行する方法。
【請求項５】
前記ストレージルートはマークルパトリシアツリー(MPT)のルートノードのハッシュを含み、前記MPTは、対応するコントラクトアカウントのストレージ内容のハッシュをエンコードする、請求項4に記載のコンピュータが実行する方法。
【請求項６】
更新されたグローバルステートは、前記対応するコントラクトアカウントのストレージ内容のハッシュをエンコードする前記MPTを更新することによって生成される、請求項5に記載のコンピュータが実行する方法。
【請求項７】
前記TEEから分離している保存場所は、キャッシュまたはデータベースに関連している、請求項1に記載のコンピュータが実行する方法。
【請求項８】
前記要求は、前記TEEに関連するアプリケーションプログラミングインターフェースを介して受信される、請求項1に記載のコンピュータが実行する方法。
【請求項９】
請求項1から8のいずれか一項に記載の方法を1つまたは複数のコンピュータに実行させる1つまたは複数の命令を記憶した非一時的コンピュータ可読記憶媒体。
【請求項１０】
コンピュータが実装されたシステムであって、
1つまたは複数のコンピュータと、
前記1つまたは複数のコンピュータによって実行されるとき、ブロックチェーンデータを信頼できる実行環境(TEE)下で処理するための1つまたは複数の動作を実行する1つまたは複数の命令を記憶した有形の非一時的機械可読媒体を有し、前記1つまたは複数のコンピュータと相互作用可能に結合された1つまたは複数のコンピュータメモリデバイスと、
を含み、前記動作は、
ブロックチェーンノードにより、前記ブロックチェーンノード上で実行するTEEにおいて1つまたは複数のソフトウェア命令を実行する要求を受信するステップと、
前記TEEにおける仮想マシンにより、前記1つまたは複数のソフトウェア命令の実行に関する1つまたは複数のブロックチェーンアカウントに関連するデータを前記要求に基づいて識別するステップと、
前記1つまたは複数のブロックチェーンアカウントに関連するデータの識別に応じて、前記仮想マシンにより、前記TEEに保存されているブロックチェーンのグローバルステートを走査して、前記1つまたは複数のブロックチェーンアカウントに関連するデータを見つけるステップと、
前記仮想マシンにより、前記データに基づいて前記1つまたは複数のソフトウェア命令を実行するステップであって、前記TEEに保存されているブロックチェーンのグローバルステートが、前記1つまたは複数のソフトウェア命令の実行中に更新されて、更新されたグローバルステートを生成する、ステップと、
前記1つまたは複数のソフトウェア命令の実行に応じて、前記ブロックチェーンノードにより、前記更新されたグローバルステートの暗号化表現を生成するステップと、
前記ブロックチェーンノードにより、前記TEEから分離している保存場所に前記更新されたグローバルステートの暗号化表現を保存するステップと、
を含む、システム。
【請求項１１】
前記要求は、1つまたは複数の入力パラメータを含み、前記TEEのインターフェース関数に対して行われる、請求項10に記載のシステム。
【請求項１２】
前記グローバルステートは、前記TEEにマークルパトリシアツリー(MPT)として保存されている、請求項10に記載のシステム。
【請求項１３】
前記グローバルステートは、前記ブロックチェーンの複数のブロックチェーンアカウントのアドレスと状態との間のマッピングを含み、前記複数のブロックチェーンアカウントは、1つまたは複数の外部所有アカウントまたはコントラクトアカウントを含み、前記コントラクトアカウントのそれぞれがストレージルートを含む、請求項10に記載のシステム。
【請求項１４】
前記ストレージルートはマークルパトリシアツリー(MPT)のルートノードのハッシュを含み、前記MPTは、対応するコントラクトアカウントのストレージ内容のハッシュをエンコードする、請求項13に記載のシステム。
【請求項１５】
更新されたグローバルステートは、前記対応するコントラクトアカウントのストレージ内容のハッシュをエンコードする前記MPTを更新することによって生成される、請求項14に記載のシステム。
【請求項１６】
前記TEEから分離している保存場所は、キャッシュまたはデータベースに関連している、請求項10に記載のシステム。
【請求項１７】
前記要求は、前記TEEに関連するアプリケーションプログラミングインターフェースを介して受信される、請求項10に記載のシステム。
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
プロセッサが、
チューター・アプリケーションのチャット・インターフェースを介してテキスト入力を受け取ることと、
前記テキスト入力に適用される少なくとも１つの分類器によって、前記テキスト入力における概念を特定することと、
前記テキスト入力における前記概念を視覚的行動および第１の視覚的オブジェクトのうちの少なくとも１つにマッピングすることと、
第１の機械学習モデルに基づいて、前記視覚的行動および前記第１の視覚的オブジェクトのうちの前記少なくとも１つに対応する第１のプログラム・コード・ステートメントを生成することと、
前記チャット・インターフェースを介して受け取った前記テキスト入力に基づいて、前記チューター・アプリケーションの視覚化インターフェースを修正するための前記第１のプログラム・コード・ステートメントを実行することと、
を実行する、方法。
【請求項２】
前記第１のプログラム・コード・ステートメントは、グラフィックス・ステートメントの文法を含み、前記方法は、
表示のために前記視覚化インターフェースを出力することをさらに含み、前記視覚化インターフェースは、前記第１の視覚的オブジェクトを含む複数のオブジェクトを含み、前記第１のプログラム・コード・ステートメントは、前記複数のオブジェクトのうちの少なくとも１つを修正する、請求項１に記載の方法。
【請求項３】
前記視覚化インターフェースを介して表示のために出力された前記複数のオブジェクトのうちの第２の視覚的オブジェクトを修正する入力を受け取ることと、
前記第２の視覚的オブジェクトを修正するための第２のプログラム・コード・ステートメントを生成することと、
前記第２の視覚的オブジェクトを修正するための前記第２のプログラム・コード・ステートメントを実行することと、
第２の機械学習モデルに基づいて、前記第２のプログラム・コード・ステートメントに対応するエンティティを生成することと、
前記エンティティと概念との間のマッピングに基づいて、自然言語のステートメントを生成することと、
前記チャット・インターフェースを介して前記自然言語のステートメントを出力することと、
をさらに含む、請求項２に記載の方法。
【請求項４】
前記テキスト入力を受け取ることの前に、
トレーニング用データに基づいて前記第１の機械学習モデルおよび前記第２の機械学習モデルを生成するために前記少なくとも１つの分類器をトレーニングすること、
をさらに含む、請求項３に記載の方法。
【請求項５】
前記トレーニング用データは、（ｉ）自然言語のステートメントを生成するために使用される複数のラベル付けされたプログラム・コード・ステートメント、および（ｉｉ）プログラム・コード・ステートメントを生成するために使用される複数のラベル付けされた自然言語のステートメントを含む、請求項４に記載の方法。
【請求項６】
チャット・エンジンによって、前記チャット・インターフェースを介して第１のメッセージを出力することと、
前記第１のメッセージに適用される前記少なくとも１つの分類器によって、前記第１のメッセージにおける概念を分類することと、
前記第１のメッセージにおける前記概念を前記第１のメッセージにおける前記概念に関連するイベントにマッピングすることと、
前記第１のメッセージにおける前記概念に関連する前記イベントに対応する第２のプログラム・コード・ステートメントを生成することと、
前記チャット・エンジンによって出力された前記第１のメッセージに基づいて前記チューター・アプリケーションの前記視覚化インターフェースを修正するための前記第２のプログラム・コード・ステートメントを実行することと、
をさらに含む、請求項１または請求項２に記載の方法。
【請求項７】
前記テキスト入力は、前記チャット・インターフェースを介して出力された質問への応答を含む、請求項１から請求項６のいずれか一項に記載の方法。
【請求項８】
請求項１から請求項７のいずれか一項に記載の方法における各ステップをプロセッサに実行させるためのコンピュータ・プログラム。
【請求項９】
請求項８に記載のコンピュータ・プログラムを記録した、コンピュータ可読ストレージ媒体。
【請求項１０】
プロセッサと、
１つまたは複数の命令を保存するメモリと、
を備えるシステムであって、
前記１つまたは複数の命令は、前記プロセッサに、請求項１から請求項７のいずれか一項に記載の方法における各ステップを実行させる、システム。
【手続補正書】
【提出日】令和2年9月16日(2020.9.16)
【手続補正１】
【補正対象書類名】特許請求の範囲
【補正対象項目名】全文
【補正方法】変更
【補正の内容】
【特許請求の範囲】
【請求項１】
抗Ｈｅｒ２ナノボディであって、
Ｈｅｒ２エピトープに対するナノボディであり、ＳＥＱ  ＩＤ  ＮＯ．：１−４０のいずれか１つに示されるアミノ酸序列のＶＨＨ鎖を有することを特徴とする、前記抗Ｈｅｒ２ナノボディ。
【請求項２】
ポリヌクレオチドであって、
請求項１に記載の抗Ｈｅｒ２ナノボディからなる群から選択されるタンパク質をコードすることを特徴とする、前記ポリヌクレオチド。
【請求項３】
ＳＥＱ  ＩＤ  ＮＯ．：４１−８０のいずれか１つに示されるヌクレオチド序列を有することを特徴とする
請求項２に記載のポリヌクレオチド。
【請求項４】
発現担体であって、
請求項２に記載のポリヌクレオチドを含むことを特徴とする、前記発現担体。
【請求項５】
宿主細胞であって、
請求項４に記載の発現担体を含むか、請求項２に記載のポリヌクレオチドがそのゲノムに組み込まれることを特徴とする、前記宿主細胞。
【請求項６】
抗Ｈｅｒ２ナノボディの生成方法であって、
ナノボディの生成に適した条件の下で、請求項５に記載の宿主細胞を培養して、前記抗Ｈｅｒ２ナノボディを含む培養物を獲得するステップ（ａ）と、及び
前記培養物から前記抗Ｈｅｒ２ナノボディを分離または回収するステップ（ｂ）とを含むことを特徴とする、前記抗Ｈｅｒ２ナノボディの生成方法。
【請求項７】
免疫コンジュゲートであって、
（ａ）請求項１に記載の抗Ｈｅｒ２ナノボディと、及び
（ｂ）検出可能なマーカー、薬物、毒素、サイトカイン、放射性核種、酵素、金ナノ粒子／ナノロッド、ナノ磁性粒子、ウイルスコートタンパク質またはＶＬＰ、またはそれらの組み合わせからなる群から選択される結合部分を含むことを特徴とする、前記免疫コンジュゲート。
【請求項８】
Ｔｃ−９９ｍ、Ｇａ−６８、Ｆ−１８、Ｉ−１２３、Ｉ−１２５、Ｉ−１３１、Ｉｎ−１１１、Ｇａ−６７、Ｃｕ−６４、Ｚｒ−８９、Ｃ−１１、Ｌｕ−１７７、Ｒｅ−１８８、またはそれらの組み合わせからなる群から選択される（ｉ）診断用同位体と、および／または
Ｌｕ−１７７、Ｙ−９０、Ａｃ−２２５、Ａｓ−２１１、Ｂｉ−２１２、Ｂｉ−２１３、Ｃｓ−１３７、Ｃｒ−５１、Ｃｏ−６０、Ｄｙ−１６５、Ｅｒ−１６９、Ｆｍ−２５５、Ａｕ−１９８、Ｈｏ−１６６、Ｉ−１２５、Ｉ−１３１、Ｉｒ−１９２、Ｆｅ−５９、Ｐｂ−２１２、Ｍｏ−９９、Ｐｄ−１０３、Ｐ−３２、Ｋ−４２、Ｒｅ−１８６、Ｒｅ−１８８、Ｓｍ−１５３、Ｒａ２２３、Ｒｕ−１０６、Ｎａ２４、Ｓｒ８９、Ｔｂ−１４９、Ｔｈ−２２７、Ｘｅ−１３３  Ｙｂ−１６９、Ｙｂ−１７７、またはそれらの組み合わせからなる群から選択される（ｉｉ）治療用同位体とを含むことを特徴とする
請求項７に記載の免疫コンジュゲート。
【請求項９】
前記薬物は、細胞毒性薬物であり、好ましくは、前記細胞毒性薬物は、抗チューブリン薬物、ＤＮＡ小溝結合試薬、ＤＮＡ複製阻害剤、アルキル化試薬、抗生物質、葉酸拮抗薬、抗代謝拮抗薬、化学療法増感剤、トポイソメラーゼ阻害剤、ビンカアルカロイド、またはそれらの組み合わせからなる群から選択されることを特徴とする
請求項７に記載の免疫コンジュゲート。
【請求項１０】
前記毒素は、オーリスタチン系、オーレオマイシン、?美坦西醇（ｍａｙｔａｎｓｉｎｏｉｄ）、リシン毒素、リシン毒素Ａ−鎖、コンブレタスタチン（ｃｏｍｂｒｅｔａｓｔａｔｉｎ）、ズオカルマイシン（ｄｕｏｃａｒｍｙｃｉｎ）、ドラスタチン（ｄｏｌａｓｔａｔｉｎ）、ドキソルビシン（ｄｏｘｏｒｕｂｉｃｉｎ）、ダウノルビシン（ｄａｕｎｏｒｕｂｉｃｉｎ）、パクリタキセル（ｐａｃｌｉｔａｘｅｌ）、シスプラチン（ｃｉｓｐｌａｔｉｎ）、ｃｃ１０６５、臭化エチジウム、マイトマイシン（ｍｉｔｏｍｙｃｉｎ）、エトポシド（ｅｔｏｐｏｓｉｄｅ）、テノポシド（ｔｅｎｏｐｏｓｉｄｅ）、ビンクリスチン（ｖｉｎｃｒｉｓｔｉｎｅ）、ビンブラスチン（ｖｉｎｂｌａｓｔｉｎｅ）、コルヒチン（ｃｏｌｃｈｉｃｉｎｅ）、ジヒドロキシアントラシンジオン（Ｄｉｈｙｄｒｏｘｙａｎｔｈｒａｃｉｎｅ  ｄｉｏｎｅ）、アクチノマイシン（ａｃｔｉｎｏｍｙｃｉｎ）、ジフテリア毒素（ｄｉｐｈｔｈｅｒｉａ  ｔｏｘｉｎ）、緑膿菌外毒素（ＰＥ）Ａ、ＰＥ４０、アブリン、アブリンＡ鎖、モデッシンＡ鎖、α−八連球菌、ゲロニン（ｇｅｌｏｎｉｎ）、ミトゲリン（ｍｉｔｏｇｅｌｌｉｎ）、レストリクトシン（ｒｅｔｓｔｒｉｃｔｏｃｉｎ）、フェノマイシン（ｐｈｅｎｏｍｙｃｉｎ）、エノマイシン（ｅｎｏｍｙｃｉｎ）、クルシン（ｃｕｒｉｃｉｎ）、クロチン（ｃｒｏｔｉｎ）、カリケアマイシン（ｃａｌｉｃｈｅａｍｉｃｉｎ）、サパオナリアオフィシナリス（Ｓａｐａｏｎａｒｉａ  ｏｆｆｉｃｉｎａｌｉｓ）阻害剤、糖質コルチコイド（ｇｌｕｃｏｃｏｒｔｉｃｏｉｄ）、またはそれらの組み合わせからなる群から選択されることを特徴とする
請求項７に記載の免疫コンジュゲート。
【請求項１１】
Ｈｅｒ２タンパク質またはＨｅｒ２癌の検出試薬であって、
前記検出試薬は、請求項７に記載の免疫コンジュゲート及び検出学的に許容される担体を含むことを特徴とする、前記Ｈｅｒ２タンパク質またはＨｅｒ２癌の検出試薬。
【請求項１２】
前記検出試薬は、同位体トレーサー、造影剤、フロー検出試薬、細胞免疫蛍光検出試薬、ナノ磁性粒子およびイメージング剤からなる群から選択される１つまたは複数の試薬であることを特徴とする
請求項１１に記載の検出試薬。
【請求項１３】
抗Ｈｅｒ２ナノボディの使用であって、
（ａ）Ｈｅｒ２分子を検出するための試薬と、（ｂ）腫瘍を治療するための薬物とを調製するために使用されることを特徴とする、前記請求項１に記載の抗Ｈｅｒ２ナノボディの使用。
【請求項１４】
薬物組成物であって、
（ｉ）請求項１に記載の抗Ｈｅｒ２ナノボディ、または請求項７に記載の免疫コンジュゲートと、及び
（ｉｉ）薬理学的許容される担体とを含むことを特徴とする、前記薬物組成物。
【請求項１５】
ＣＡＲ−Ｔ細胞であって、
前記ＣＡＲ−Ｔ細胞は、キメラ抗原受容体ＣＡＲを発現し、前記ＣＡＲの抗原結合ドメインは、請求項１に記載の抗Ｈｅｒ２ナノボディを有することを特徴とする、前記ＣＡＲ−Ｔ細胞。
【請求項１６】
製剤であって、
請求項１５に記載のＣＡＲ−Ｔ細胞、及び薬理学的許容される担体、希釈剤または賦形剤を含むことを特徴とする、前記製剤。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
水を含む地熱貯留層から水素を生産する方法であって、
前記地熱貯留層内の前記水にガス化又は水−ガス移行反応の少なくとも１つを発生させ、水素を含むガスストリームを形成するステップと、
前記地熱貯留層に地表から坑井を提供するステップと、
パラジウム合金からなる少なくとも１種の水素透過性メンブレンを前記坑井内に配置するステップと、
前記少なくとも１種の水素透過性メンブレンが、前記ガスストリーム中の前記水素のみを前記地表へ通過させるように、前記ガスストリームを前記少なくとも１種の水素透過性メンブレンにかけるステップと
を含む方法。
【請求項２】
酸素が、酸化反応によって前記地熱貯留層内で捕捉されてもよい、請求項１に記載の方法。
【請求項３】
ガス化又は水−ガス移行反応の少なくとも１つを発生させるステップは、発熱反応、熱核プロセス若しくは崩壊、ホトン若しくは音響刺激、高温材料注入、電磁放射、又は電気抵抗を介して前記地熱貯留層を十分な温度に誘導することを含む、請求項１に記載の方法。
【請求項４】
前記少なくとも１種の水素透過性メンブレンが、バナジウム、タンタル、及びニオブのうちの少なくとも１種をさらに含む、請求項１に記載の方法。
【請求項５】
前記少なくとも１種の水素透過性メンブレンが、パラジウム銅合金からなる、請求項１に記載の方法。
【請求項６】
前記少なくとも１種の水素透過性メンブレンが、少なくとも１つのセラミック層及び／又は透過性若しくは非透過性構造金属若しくは金属合金層、及び／又はポリマーメンブレンをさらに含む、請求項１に記載の方法。
【請求項７】
前記水素を前記地表に生産するステップが、前記坑井内を循環する作動液に前記水素を移送することを含む、請求項１に記載の方法。
【請求項８】
前記地熱貯留層に隣接する前記坑井を通過する間、前記作動液が加熱されて加熱作動液を形成し、前記方法が、前記加熱作動液を、これが前記地表に生産される場合に熱源または電力源として使用するステップをさらに含む、請求項７に記載の方法。
【請求項９】
前記水素を前記地表に生産することで前記水−ガス移行反応による追加の水素の生成が促進されるように、前記水に前記水−ガス移行反応が発生して前記ガスストリームが形成され、前記方法が、前記追加の水素を前記地表に生産することをさらに含む、請求項１に記載の方法。
【請求項１０】
水を含む地熱貯留層からプロトンを生産する方法であって、
前記地熱貯留層内の前記水にガス化又は水−ガス移行反応の少なくとも１つを発生させ、プロトンを含むガスストリームを形成するステップと、
前記地熱貯留層に地表から坑井を提供するステップと、
グラファン、白金、及びスルホン化テトラフルオロエチレンベースフルオロポリマー−コポリマーのうちの少なくとも１種を含む少なくとも１種のプロトン選択的メンブレンを前記坑井内に配置するステップと、
前記少なくとも１種のプロトン選択的メンブレンが、前記ガスストリーム中の前記プロトンのみを通過させることを許容するように、前記ガスストリームを前記少なくとも１種のプロトン選択的メンブレンにかけるステップと、
前記プロトンが前記少なくとも１種のプロトン選択的メンブレンを通過するようにさせるステップと、
前記プロトンを前記地表に生産するステップと
を含む、方法。
【請求項１１】
前記プロトンを前記地表に生産するステップは、グラファン、白金、及びスルホン化テトラフルオロエチレンベースフルオロポリマー−コポリマーのうちの少なくとも１種を含むコンポジットを担体として使用することを含む、請求項１０に記載の方法。
【請求項１２】
前記地熱貯留層に隣接する前記坑井を通過する間、前記担体が加熱されて加熱担体を形成し、前記方法が、前記加熱担体を、これが前記地表に生産される場合に熱源又は電力源として使用するステップをさらに含む、請求項１１に記載の方法。
【請求項１３】
前記プロトンを前記地表に生産することで前記水−ガス移行反応による追加のプロトンの生成が促進されるように、前記水に前記水−ガス移行反応が発生して前記ガスストリームが形成され、前記方法が、前記追加のプロトンを前記地表に生産することをさらに含む、請求項１０に記載の方法。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
鋼板；および
前記鋼板上に位置するＡｌ−Ｍｇ−Ｓｉ合金層；を含み、
前記Ａｌ−Ｍｇ−Ｓｉ合金層は、Ａｌ−Ｍｇ合金相からなる合金層内に、Ｍｇ−Ｓｉ合金粒が含まれている形態である
合金コーティング鋼板。
【請求項２】
前記鋼板と前記Ａｌ−Ｍｇ−Ｓｉ合金層との間に位置するＡｌ−Ｓｉ合金層；をさらに含む、請求項１に記載の合金コーティング鋼板。
【請求項３】
前記Ａｌ−Ｍｇ−Ｓｉ合金層は、合金層内のＭｇ含有量の勾配（ｇｒａｄｉｅｎｔ）が存在する、請求項１または２に記載の合金コーティング鋼板。
【請求項４】
前記Ａｌ−Ｍｇ−Ｓｉ合金層内のＭｇ含有量は、
前記Ａｌ−Ｍｇ−Ｓｉ合金層の総量１００重量％に対して、
１５重量％以上、９０重量％以下である、請求項１〜３のいずれか一項に記載の合金コーティング鋼板。
【請求項５】
前記Ａｌ−Ｍｇ合金相は、
Ａｌ３Ｍｇ２、Ａｌ１２Ｍｇ１７を含む、請求項１〜４のいずれか一項に記載の合金コーティング鋼板。
【請求項６】
前記Ａｌ−Ｍｇ合金相は、
Ａｌ３Ｍｇ２、Ａｌ１２Ｍｇ１７以外のＡｌおよび
前記Ａｌに固溶したＭｇを含む、請求項１〜５のいずれか一項に記載の合金コーティング鋼板。
【請求項７】
前記Ｍｇ−Ｓｉ合金粒は、
Ｍｇ２Ｓｉを含む、請求項１〜６のいずれか一項に記載の合金コーティング鋼板。
【請求項８】
前記Ｍｇ−Ｓｉ合金粒は、
不定形である、請求項１〜７のいずれか一項に記載の合金コーティング鋼板。
【請求項９】
前記Ａｌ−Ｍｇ−Ｓｉ合金層内のＭｇ−Ｓｉ合金粒の含有量は、
前記Ａｌ−Ｍｇ−Ｓｉ合金層の総量１００重量％に対して、１重量％以上、および７０重量％以下である、請求項１〜８のいずれか一項に記載の合金コーティング鋼板。
【請求項１０】
前記鋼板、および前記Ａｌ−Ｍｇ−Ｓｉ合金層の間に位置するＡｌ−Ｆｅ−Ｓｉ合金層；をさらに含む、請求項１〜９のいずれか一項に記載の合金コーティング鋼板。
【請求項１１】
前記Ａｌ−Ｍｇ−Ｓｉ合金層上に位置するＭｇ層；またはＡｌ−Ｍｇ合金層；をさらに含む、請求項１〜１０のいずれか一項に記載の合金コーティング鋼板。
【請求項１２】
Ａｌ、およびＳｉが含まれているメッキ層を含むアルミニウムメッキ鋼板を準備する段階；
前記アルミニウムメッキ鋼板上にＭｇをコーティングしてＭｇコーティング層を形成する段階；および
Ａｌ−Ｍｇ−Ｓｉ合金層が形成されるように、前記Ｍｇがコーティングされたアルミニウムメッキ鋼板を熱処理してＭｇを前記メッキ層に拡散させる段階；を含み、
前記Ａｌ−Ｍｇ−Ｓｉ合金層は、
Ａｌ−Ｍｇ合金相からなる合金層内に、Ｍｇ−Ｓｉ合金粒が含まれている形態である
合金コーティング鋼板の製造方法。
【請求項１３】
前記Ｍｇがコーティングされたアルミニウムメッキ鋼板を熱処理してＭｇを前記メッキ層に拡散させる段階では、
３００℃〜４５０℃の温度で熱処理する、請求項１２に記載の合金コーティング鋼板の製造方法。
【請求項１４】
前記Ｍｇがコーティングされたアルミニウムメッキ鋼板を熱処理してＭｇを前記メッキ層に拡散させる段階では、
５秒〜６００秒間熱処理する、請求項１２または１３に記載の合金コーティング鋼板の製造方法。
【請求項１５】
前記Ｍｇがコーティングされたアルミニウムメッキ鋼板を熱処理してＭｇを前記メッキ層に拡散させる段階では、
前記Ａｌ−Ｍｇ−Ｓｉ合金層で前記Ａｌ−Ｍｇ合金相が生成され、
前記Ａｌ−Ｍｇ合金相は、
Ａｌ３Ｍｇ２、Ａｌ１２Ｍｇ１７を含む、請求項１２〜１４のいずれか一項に記載の合金コーティング鋼板の製造方法。
【請求項１６】
前記Ｍｇがコーティングされたアルミニウムメッキ鋼板を熱処理してＭｇを前記メッキ層に拡散させる段階では、
前記Ａｌ−Ｍｇ−Ｓｉ合金層で前記Ｍｇ−Ｓｉ合金粒が生成され、
前記Ｍｇ−Ｓｉ合金粒は、
Ｍｇ２Ｓｉを含む、請求項１２〜１５のいずれか一項に記載の合金コーティング鋼板の製造方法。
【請求項１７】
前記アルミニウムメッキ鋼板上にＭｇをコーティングしてＭｇコーティング層を形成する段階では、
物理気相蒸着（ＰＶＤ）で行われる、請求項１２〜１６のいずれか一項に記載の合金コーティング鋼板の製造方法。
【手続補正２】
【補正対象書類名】図面
【補正対象項目名】全図
【補正方法】変更
【補正の内容】
【図１】
2020525645.tif 000001
【図２】
2020525645.tif 000002
【図３】
2020525645.tif 000003
【図４】
2020525645.tif 000004
【図５】
2020525645.tif 000005
【図６】
2020525645.tif 000006
【図７】
2020525645.tif 000007
【図８】
2020525645.tif 000008
【図９】
2020525645.tif 000009
【図１０】
2020525645.tif 000010
【図１１】
2020525645.tif 000011
【図１２】
2020525645.tif 000012
【図１３】
2020525645.tif 000013
【図１４】
2020525645.tif 000014
【図１５】
2020525645.tif 000015
【図１６】
2020525645.tif 000016
【図１７】
2020525645.tif 000017
【図１８】
2020525645.tif 000018
【図１９】
2020525645.tif 000019
【図２０】
2020525645.tif 000020
【誤訳訂正書】
【提出日】令和1年12月16日(2019.12.16)
【誤訳訂正１】
【訂正対象書類名】特許請求の範囲
【訂正対象項目名】全文
【訂正方法】変更
【訂正の内容】
【特許請求の範囲】
【請求項１】
任意のアプリケーションのコンピュータ・ルーチンを実行するための環境を提供するように構成されたマルチテナント・インフラストラクチャ・サーバ（ＭＴＩＳ）であって、
プロセッサと、
通信ネットワークを介した通信を可能にするように構成された、前記プロセッサに結合されたネットワーク・インターフェースと、
コンテンツおよびプログラミング用の記憶装置と、
前記記憶装置に記憶されたプログラムであって、前記プログラムを実行することで前記マルチテナント・サーバが、
ウェブタスク・コンテナ内で前記コンピュータ・ルーチンを実行するための要求をウェブタスク・サーバから受信することであって、前記要求がクライアント・データを含むこと、
前記ＭＴＩＳにおいて、前記ウェブタスク・コンテナ内で前記コンピュータ・ルーチンを実行すること、
前記コンピュータ・ルーチンの実行に成功すると、結果のセットを前記ウェブタスク・サーバに戻すこと、
前記コンピュータ・ルーチンの実行に失敗すると、エラー・コンピュータ・ルーチンを前記ウェブタスク・サーバに戻すこと、
前記コンピュータ・ルーチンの前記実行中に消費されたリソースを決定すること、および
前記ウェブタスク・コンテナを破棄して、前記ＭＴＩＳでの前記コンピュータ・ルーチンの永続的な記憶を防止することを含む動作を実行するように構成するプログラムと、を含み、
前記ウェブタスク・コンテナの前記破棄は、前記結果のセットまたは前記エラー・コンピュータ・ルーチンが前記ウェブタスク・サーバによって受信されたという確認を、前記ウェブタスク・サーバから受信することに応答する、マルチテナント・インフラストラクチャ・サーバ（ＭＴＩＳ）。
【請求項２】
前記要求がウェブタスク・トークンを含む、請求項１に記載のＭＴＩＳ。
【請求項３】
前記要求が、前記コンピュータ・ルーチンを含まず、前記コンピュータ・ルーチンへのユニフォーム・リソース・アイデンティファイア（ＵＲＬ）リンクおよびクライアントの秘密を含む、請求項１に記載のＭＴＩＳ。
【請求項４】
前記要求は、ウェブタスク・トークンを含み、
前記プログラムを実行することでさらに、前記ＭＴＩＳが、前記ウェブタスク・トークン内に提示された前記ＵＲＬからコンピュータ・ルーチンを取り出すことを含む動作を実行するように構成する、請求項３に記載のＭＴＩＳ。
【請求項５】
前記ウェブタスク・トークンが、実行すべき前記コンピュータ・ルーチンおよびクライアントの秘密を含む、請求項２に記載のＭＴＩＳ。
【請求項６】
前記要求は、ウェブタスク・トークンを含み、
前記ウェブタスク・トークンが、暗号によってタンパリングおよび暴露から保護されている、請求項１に記載のＭＴＩＳ。
【請求項７】
前記ウェブタスク・コンテナが、前記ＭＴＩＳ内の分離された環境において実行される、前記コンピュータ・ルーチンの全ての依存関係を含む、請求項１に記載のＭＴＩＳ。
【請求項８】
前記分離された環境が、前記ＭＴＩＳ内のサンドボックスである、請求項７に記載のＭＴＩＳ。
【請求項９】
前記消費されたリソースが、前記コンピュータ・ルーチンの前記実行中に使用された処理能力およびメモリを含む、請求項１に記載のＭＴＩＳ。
【請求項１０】
前記コンピュータ・ルーチンが、前記ＭＴＩＳのオペレーティング・システムから独立している、請求項１に記載のＭＴＩＳ。
【請求項１１】
前記コンピュータ・ルーチンを実行する時間が、ＨＴＴＰ要求／応答サイクルに要する期間に制限される、請求項１に記載のＭＴＩＳ。
【請求項１２】
前記ウェブタスク・サーバがＨＴＴＰサーバであり、前記要求がＨＴＴＰ要求である、請求項１１に記載のＭＴＩＳ。
【請求項１３】
前記戻された結果が、Java（登録商標）Script Object Notation（ＪＳＯＮ）である、請求項１に記載のＭＴＩＳ。
【請求項１４】
あるテナントのコンピュータ・ルーチンが、別のテナントのコンピュータ・ルーチンまたはデータにアクセスしないように、前記ＭＴＩＳが、各テナントについてデータ分離を提供する、請求項１に記載のＭＴＩＳ。
【請求項１５】
任意のアプリケーションのコンピュータ・ルーチンを実行する方法であって、
マルチテナント・インフラストラクチャ・サーバ（ＭＴＩＳ）のウェブタスク・コンテナ内で前記コンピュータ・ルーチンを実行するための要求をウェブタスク・サーバから受信することであって、前記要求が、ウェブタスク・トークンおよびクライアント・データを含むことと、
前記ＭＴＩＳにおいて、前記ウェブタスク・コンテナ内で前記コンピュータ・ルーチンを実行することと、
前記コンピュータ・ルーチンの実行に成功すると、結果のセットを前記ウェブタスク・サーバに戻すことと、
前記コンピュータ・ルーチンの実行に失敗すると、エラー通知を前記ウェブタスク・サーバに戻すことと、
前記コンピュータ・ルーチンの前記実行中に消費されたリソースを決定することと、
前記ウェブタスク・コンテナを破棄して、前記ＭＴＩＳへの前記コンピュータ・ルーチンの永続的な記憶を防止することと、
を含み、
前記ウェブタスク・コンテナの前記破棄は、前記結果のセットまたは前記エラー・コンピュータ・ルーチンが前記ウェブタスク・サーバによって受信されたという確認を、前記ウェブタスク・サーバから受信することに応答する、方法。
【請求項１６】
前記ウェブタスク・トークンが、前記コンピュータ・ルーチンを含まず、前記コンピュータ・ルーチンへのユニフォーム・リソース・アイデンティファイア（ＵＲＬ）リンクおよびクライアントの秘密を含む、請求項１５に記載の方法。
【請求項１７】
前記ウェブタスク・トークンにおいて提示される前記ＵＲＬから、コンピュータ・ルーチンと取り出すことをさらに含む、請求項１６に記載の方法。
【請求項１８】
前記ウェブタスク・トークンが、実行すべき前記コンピュータ・ルーチンおよびクライアントの秘密を含む、請求項１５に記載の方法。
【請求項１９】
前記ウェブタスク・コンテナが、前記ＭＴＩＳ内の分離された環境において実行される、前記コンピュータ・ルーチンの全ての依存関係を含む、請求項１５に記載の方法。
【請求項２０】
前記コンピュータ・ルーチンを実行する時間が、ＨＴＴＰ要求／応答サイクルに要する期間に制限され、
前記ウェブタスク・サーバがＨＴＴＰサーバであり、
前記要求がＨＴＴＰ要求である、請求項１５に記載の方法。
【請求項２１】
前記戻された結果が、JavaScript Object Notation（ＪＳＯＮ）である、請求項１５に記載の方法。
【請求項２２】
あるテナントのコンピュータ・ルーチンが、別のテナントのコンピュータ・ルーチンまたはデータにアクセスしないように、各テナントについてデータ分離を提供することをさらに含む、請求項１５に記載の方法。